(57)【要約】本開示は、取付板（１００）を開示し、取付板（１００）には、標示構造（１０）が設けられ、標示構造（１０）は、複数の貫通孔（１）と目盛標示（２）を含み、複数の貫通孔（１）は、所定方向に沿って取付板（１００）に順次配列され、目盛標示（２）と複数の貫通孔（１）が互いに対応することにより、複数の貫通孔（１）のうちの少なくとも一部の間隔が特定される。【選択図】図１
2021532323.tif 000002
【特許請求の範囲】
【請求項１】
取付板であって、
前記取付板には、標示構造が設けられ、前記標示構造は、複数の貫通孔と目盛標示とを含み、複数の前記貫通孔は、所定方向に沿って前記取付板に順次配列され、前記目盛標示と複数の前記貫通孔が互いに対応することにより、複数の前記貫通孔のうちの少なくとも一部の間隔が特定される、
ことを特徴とする取付板。
【請求項２】
前記標示構造は、
上下方向に間隔を開けて配列された複数の前記貫通孔を含む上下標示と、
左右方向に間隔を開けて配列された複数の前記貫通孔を含む左右標示と、を含む、
ことを特徴とする請求項１に記載の取付板。
【請求項３】
前記上下標示の複数の前記貫通孔は、上下方向に等間隔又は不等間隔で配列され、前記左右標示の複数の前記貫通孔は、左右方向に等間隔又は不等間隔で配列される、
ことを特徴とする請求項２に記載の取付板。
【請求項４】
前記上下標示は、前記取付板の左右方向における中心位置に設けられ、前記左右標示の１つの貫通孔は、前記上下標示と上下に正対し、且つ前記左右標示の残りの貫通孔は、当該１つの貫通孔の左右両側に配列されている、
ことを特徴とする請求項２に記載の取付板。
【請求項５】
前記目盛標示は、第１指示ラインを含み、前記第１指示ラインは、上下方向に延びており、且つ前記上下標示の２つの隣接する前記貫通孔の間には、それぞれ前記第１指示ラインが接続されており、及び／又は
前記目盛標示は、さらに第２指示ラインを含み、前記第２指示ラインは、左右方向に延びており、且つ前記左右標示の２つの隣接する前記貫通孔の間には、それぞれ前記第２指示ラインが接続されている、
ことを特徴とする請求項２に記載の取付板。
【請求項６】
前記標示構造は、鉛直方向標示を含み、前記鉛直方向標示は、取付板の上縁を指す矢印として形成される、
ことを特徴とする請求項１に記載の取付板。
【請求項７】
前記標示構造は、さらに水平方向標示を含み、
前記水平方向標示は、前記取付板の左下側に設けられ、且つ取付板の左縁を指す矢印形状を含み、及び／又は
前記水平方向標示は、前記取付板の右下側に設けられ、且つ取付板の右縁を指す矢印形状を含む、
ことを特徴とする請求項１に記載の取付板。
【請求項８】
前記目盛標示は、前記取付板の表面に形成された凸構造又は凹構造である、
ことを特徴とする請求項１〜７のいずれか１項に記載の取付板。
【発明の詳細な説明】
【技術分野】
【０００１】
本願は２０１９年０６月１４日に中国特許庁に提出した出願番号が２０１９２０９０１３９０．８、出願名称が「取付板」の中国特許出願の優先権を主張し、その全内容が引用により本出願に組み込まれる。
【０００２】
本開示は空気調和機の技術分野に関し、特に空調の取付板に関する。
【背景技術】
【０００３】
従来の壁掛け空気調和機の室内機の取付板は、取付手順が複雑であり、たとえば、メジャー又は直尺などの測距ツールを用いて、取付板の左右及び上下の位置決めを行わなければならない。
【発明の概要】
【０００４】
従来技術の不備と欠陥に鑑みて、本開示は、取付板を提供し、前記取付板は、標示構造を有し、前記標示構造は、複数の貫通孔と目盛標示を含み、複数の前記貫通孔は、所定の方向に沿って前記取付板に順次配列され、前記目盛標示と複数の前記貫通孔が互いに対応することにより、複数の前記貫通孔のうちの少なくとも一部の間隔が特定される。
【０００５】
取付板に目盛標示と貫通孔が設けられることによって、メジャー又は直尺などの測定ツールを必要とせずに、上下方向及び左右方向での距離測定及び初期の位置決めを実施でき、ある程度取付手順を簡素化させ、作業負荷を軽減させて、取付効率を高める。
【０００６】
いくつかの実施例においては、前記標示構造は、上下方向に間隔を開けて配列された複数の前記貫通孔を含む上下標示と、左右方向に間隔を開けて配列された複数の前記貫通孔を含む左右標示とを含む。
【０００７】
いくつかの実施例においては、前記上下標示の複数の前記貫通孔は、上下方向に等間隔又は不等間隔で配列され、前記左右標示の複数の前記貫通孔は、左右方向に等間隔又は不等間隔で配列される。
【０００８】
いくつかの実施例においては、前記上下標示は、前記取付板の左右方向における中心位置に設けられ、前記左右標示の１つの貫通孔は、前記上下標示と上下に正対し、且つ前記左右標示の残りの貫通孔は、当該１つの貫通孔の左右両側に配列されている。
【０００９】
いくつかの実施例においては、前記目盛標示は、第１指示ラインを含み、前記第１指示ラインは、上下方向に延びており、且つ前記上下標示の２つの隣接する前記貫通孔の間には、それぞれ前記第１指示ラインが接続され、及び／又は
前記目盛標示は、さらに第２指示ラインを含み、前記第２指示ラインは、左右方向に延びており、且つ前記左右標示の２つの隣接する前記貫通孔の間には、それぞれ前記第２指示ラインが接続される。
【００１０】
いくつかの実施例においては、前記標示構造は、鉛直方向標示を含み、前記鉛直方向標示は、取付板の上縁を指す矢印として形成される。
【００１１】
いくつかの実施例においては、前記標示構造は、さらに水平方向標示を含み、前記水平方向標示は、前記取付板の左下側に設けられ、且つ取付板の左縁を指す矢印形状を含み、及び／又は、前記水平方向標示は、前記取付板の右下側に設けられ、且つ取付板の右縁を指す矢印形状を含む。
【００１２】
いくつかの実施例においては、前記目盛標示は、前記取付板の表面に形成された凸構造又は凹構造である。
【図面の簡単な説明】
【００１３】
【図１】図１は、本開示の一実施例の取付板の正面図である。
【図２（ａ）】図２（ａ）は、図１の取付板を上下に位置決めするときの第１ステップの操作概略図である。
【図２（ｂ）】図２（ｂ）は、図１の取付板を上下に位置決めするときの第２ステップの操作概略図である。
【図３（ａ）】図３（ａ）は、図１の取付板を左右に位置決めするときの第１ステップの操作概略図である。
【図３（ｂ）】図３（ｂ）は、図１の取付板を左右に位置決めするときの第２ステップの操作概略図である。
【発明を実施するための形態】
【００１４】
以下、本開示の実施例を詳細に説明し、前記実施例の例は、図面に示され、図面を通じて同じ又は類似した符号は、同じ又は類似した素子又は同じ又は類似した機能を有する素子を示す。以下、図面を参照しながら説明する実施例は、例示的なものであり、本開示を解釈することを意図し、本開示を制限するものとして理解すべきではない。
【００１５】
図１に示すように、本開示に係る取付板１００は、標示構造１０が設けられ、標示構造１０は、複数の貫通孔１と目盛標示２を含み、複数の貫通孔１は、所定方向に沿って取付板１００に順次配列され、目盛標示２と複数の貫通孔１が互いに対応することにより、複数の貫通孔１のうちの少なくとも一部の間隔が特定される。
【００１６】
取付板１００での貫通孔１の設置は、主にマークを付けることを目的とし、たとえば、取付板１００を所定方向に所定距離だけ移動させる場合、最初位置にあるときに１つの貫通孔１にマークを付けることができ、具体的には、マーク方法として、ペン又はステッカーなどを用いて実施でき、目盛標示２によって取付板１００における当該貫通孔１がマークまで移動されたことを把握でき、それにより、取付板１００全体を所定方向に所定距離だけ移動させる。
【００１７】
なお、所定方向は、取付板１００が壁に平行な平面であると想定すると、上下左右及び傾斜した方向のいずれも取付板１００の移動方向とすることができ、具体的には、実際の状況によって設定すればよいが、通常、所定方向とは、上下方向及び左右方向のことである。
【００１８】
図１に示すように、取付板１００の所定方向には、上下方向と左右方向の２つがあり、また、この２つの方向には、複数の貫通孔１が間隔を開けて配列され、且つ、貫通孔１の一方側には、目盛りがマークされており、本実施例では、具体的には、上下方向には、間隔の異なる４つの貫通孔１が配列され、この４つの貫通孔１のそれぞれの左側には、それぞれ取付板１００の上縁と水平基準２０との間の距離を示す０ｍｍ、５０ｍｍ、８０ｍｍ、１１０ｍｍの目盛標示があり、ここで、水平基準２０は、実際の状況に応じて、天井、吊り天井又は石膏モールディングなどであってもよい。
【００１９】
同様に、図１に示した実施例では、取付板１００の左右方向には、同じ間隔の１１個の貫通孔１が配列され、各貫通孔１の上方には、左から右へそれぞれ１００ｍｍ、８０ｍｍ、６０ｍｍ、４０ｍｍ、２０ｍｍ、０ｍｍ、２０ｍｍ、４０ｍｍ、６０ｍｍ、８０ｍｍ、１００ｍｍである目盛標示が対応して設けられている。その中で、標示０ｍｍの貫通孔１は、上下方向における４個の貫通孔１の真下に位置し、左右方向における貫通孔１は、標示０ｍｍの貫通孔１を中心としてそれぞれ左右両側に向かって配列され、且つ、左右方向における貫通孔１の目盛標示は、それぞれ取付板１００の左縁及び右縁の、壁貫通孔３０の中心点からの距離を表す。
【００２０】
取付板に目盛標示２及び貫通孔１が設けられることによって、メジャー又は直尺などの測定ツールを必要とせずに、上下方向及び左右方向での距離測定及び初期の位置決めを実施でき、ある程度取付手順を簡素化させ、作業負荷を軽減させて、取付効率を高める。
【００２１】
通常、実際の用途では、空気調和機の取付板１００について上下方向及び左右方向において位置決めすることで、空気調和機の室内機の室内壁での位置を決めるのが一般的であり、いくつかの実施例では、空気調和機の取付板１００における標示構造１０は、緯線と経線を有する囲碁のボードのような格子式構造としてもよく、空気調和機の取付板１００の左右方向における中心ラインには、等距離の貫通孔１が複数設けられ、且つ貫通孔１の隣に設けられた目盛標示２によって取付板１００のエッジの、水平基準２０及び壁貫通孔３０の中心からの距離がマークされ、取付板１００を位置決めするときに、まず、その最初位置を決定して、貫通孔１をマークし、次に、格子の緯線と経線に基づいてより正確に位置決めする。
【００２２】
図１に示すように、標示構造１０は、上下標示３と左右標示４を含み、上下標示３は、上下方向に間隔を開けて配列された複数の貫通孔１を含み、左右標示４は、左右方向に間隔を開けて配列された複数の貫通孔１を含む。前述のとおり、上下標示３の所定方向は、上下方向であり、左右標示４の所定方向は、左右方向である。
【００２３】
上下標示３及び左右標示４は、主に取付板１００を上下方向及び左右方向に位置決めするために設置される。少なくとも１つの貫通孔１を有するように設計するのは、それをマークとして移動させるときに参照するためである。
【００２４】
また、上下標示３の複数の貫通孔１は、上下方向に等間隔又は不等間隔で配列され、左右標示４の複数の貫通孔１は、左右方向に等間隔又は不等間隔で配列される。図１に示した実施例では、不等間隔で配列されており、貫通孔１は、主に取付板１００の位置の標示を容易にする役割を果たし、勿論、貫通孔１の具体的な設置形態については、限定がなく、等間隔の配列形態を取ってもよい。
【００２５】
図１に示すように、好ましくは、上下標示３は、取付板の左右方向に沿う中心位置に設けられ、左右標示４の１つの貫通孔１は、上下標示３と上下に正対し、且つ左右標示４の残りの貫通孔１は、当該貫通孔１の左右両側に配列される。通常、空気調和機の取付距離については、それぞれ空気調和機と水平基準との距離、及び空気調和機と壁貫通孔との距離を説明するため、空気調和機は、水平基準に対して下方向に取り付けられる。しかし、左右方向においては、空気調和機は、壁貫通孔に対して左へ取り付けられてもよく、右へ取り付けられてもよく、このような場合、より確実に位置決めするように、本開示では、好ましくは、空気調和機又は取付板１を左又は右へ簡便に位置決めするために、左右標示４を上下標示３の左右両側に配列する。
【００２６】
左右標示４用の貫通孔１は、上下標示３の左右両側に対称的に配列されてもよいし、上下標示３の左右両側に非対称的に配列されてもよく、具体的には、実際な状況に応じて決定すればよい。
【００２７】
図２（ａ）及び図２（ｂ）に示すように、空気調和機の取付高さが水平基準から５０ｍｍ離れた高さであると想定すると、取付板１００を上下に位置決めする必要がある場合、第１ステップでは、図２（ａ）のように、取付板１００を水平基準に当接させ、上下標示３の貫通孔１の中から目盛りが５０ｍｍの貫通孔１を見つけて、ペンでマーク（ほかのマーク方式であってもよい）を付け、たとえば、ペンを５０ｍｍに対応した貫通孔１に貫通して壁にポイントを描画する。
【００２８】
第２ステップでは、図２（ｂ）のように、取付板１００を、目盛りがゼロの貫通孔１がマークと重なるまで、下へ移動させ、この過程に、取付板１００が上下方向に下へ５０ｍｍ移動することが完了する。
【００２９】
また、図３（ａ）及び図３（ｂ）に示すように、取付板１００が壁貫通孔３０の右側に取り付けられ、且つ右への移動距離が１００ｍｍである場合、まず、第１ステップでは、図（ａ）のように、取付板の左縁７と水平方向の標示６のうちの左縁を指す矢印の延長線との交点を壁貫通孔３０の中心点と重ねて、ペンで左右標示４の目盛り１００ｍｍの貫通孔１をマークし、ペン又はほかの手段を用いて目盛り１００ｍｍの貫通孔１に貫通して壁にマークを描画する。
【００３０】
第２ステップでは、図（ｂ）のように、左右標示４の目盛り０の貫通孔１がマークと重なるまで、さらに取付板１００を右へ移動させ、このように、左右での位置決めが完了する。
【００３１】
さらに、実際の用途では、左右方向が固定されている場合に、取付板１００を上下だけ位置決めしてもよく、上下方向が固定されている場合に、取付板１００を上下だけ位置決めしてもよく、まず、上下に位置決めし、次に左右に位置決めしてもよく、まず、左右に位置決めし、次に上下に位置決めしてもよい。
【００３２】
図１に示すように、目盛標示２は、第１指示ライン２１を含み、第１指示ライン２１は、上下方向に延びており、且つ上下標示３の２つの隣接する貫通孔１の間には、それぞれ第１指示ライン２１が接続されている。
【００３３】
さらに、目盛標示２は、さらに第２指示ライン２２を含み、第２指示ライン２２は、左右方向に延びており、且つ左右標示４の２つの隣接する貫通孔１の間には、それぞれ第２指示ライン２２が接続されている。
【００３４】
外観性及び視認性のため、上下標示３と左右標示４における貫通孔１を接続するための第１指示ライン２１及び第２指示ライン２２が設置され、それにより標示構造１０がより標準化されたように見える。
【００３５】
標示構造１０は、鉛直方向標示５を含み、鉛直方向標示５は、取付板１００の上縁を指す矢印として形成される。通常、鉛直方向標示５は、その近くの上下標示３が下方向への位置決め用である旨を取付作業者に知らせて、水平基準２０の方向を指している。
【００３６】
同様に取付作業者に提示するために、図１に示すように、好ましくは、標示構造１０は、さらに水平方向標示６を含み、水平方向標示６は、取付板１００の左下側に設けられ、且つ取付板１００の左縁を指す矢印形状を含む。また、水平方向標示６は、さらに取付板１００の右下側に設けられ、且つ取付板１００の右縁を指す矢印形状を含む。
【００３７】
ほかの実施例では、取付板１００を左右方向において左へ位置決め又は右へ位置決めすることだけが必要である場合、取付板１００の左下方又は右下方の一方に、提示用のために、矢印形状が設けられてもよい。
【００３８】
また、目盛標示２は、取付板１００の表面に形成された凸構造又は凹構造である。目盛標示２は、通常、取付板１００とともに直接プレス成型され、このように、コストダウンが図られ、量産が容易になり、生産効率が高まる。
【００３９】
本明細書の記述においては、参照用語「一実施例」、「いくつかの実施例」、「例」、「具体例」、又は「いくつかの例」等の記述は、該実施例又は例に関連して記述される特定の性質、構造、材料又は特徴が、本開示の少なくとも１つの実施例又は例に含まれることを意味している。本明細書を通して上記用語の模式的な表現は同じ実施例又は例に、必ずしも言及しているというわけではない。また、記述された特定の性質、構造、材料又は特徴は１つ又は複数の実施例又は例においては適切な方法で組み合わせてもよい。さらに、矛盾しない限り、当業者は本明細書に記述された異なる実施例又は例を異なる実施例又は例の特徴と組み合わせてもよい。
【００４０】
以上、本開示の実施例を例示して説明したが、上記実施例は、例示的なものであり、本開示に対する限定として理解してはいけず、当業者であれば、本開示の範囲内に上記実施例に対して変化、修正、置換や変形を行えることが理解できる。
【符号の説明】
【００４１】
１００  取付板、１０  標示構造、１  貫通孔、２  目盛標示、２１  第１指示ライン、２２  第２指示ライン、３  上下標示、４  左右標示、５  鉛直方向標示、６  水平方向標示、７  取付板の左縁、２０  水平基準、３０  壁貫通孔。
【図１】
2021532323.tif 000003
【図２（ａ）】
2021532323.tif 000004
【図２（ｂ）】
2021532323.tif 000005
【図３（ａ）】
2021532323.tif 000006
【図３（ｂ）】
2021532323.tif 000007
【国際調査報告】
2021532323.tif 000008
2021532323.tif 000009
2021532323.tif 000010
2021532323.tif 000011
2021532323.tif 000012
2021532323.tif 000013